【事件の表示】
　特願２０１９−５００９２２「テープフィーダ」拒絶査定不服審判事件〔平成３０年　８月３０日国際公開、ＷＯ２０１８／１５４６７１、請求項の数（４）〕について、次のとおり審決する。
【結　論】
　原査定を取り消す。
　本願の発明は、特許すべきものとする。
【理　由】
第１　手続の経緯
　本件に係る出願は、２０１７年（平成２９年）２月２３日を国際出願日とする出願であって、その手続の経緯は以下のとおりである。
　令和２年　７月１６日付け：拒絶理由通知書
　令和２年　９月　３日　　：意見書、手続補正書の提出
　令和２年１０月　６日付け：拒絶査定（以下、「原査定」という。）
　令和２年１２月　９日　　：審判請求書、手続補正書の提出
第２　原査定の概要
　原査定の概要は以下のとおりである。
（進歩性）この出願の請求項１〜４に係る発明は、その出願前に日本国内又は外国において、頒布された以下の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献１：特開２０１６−４０８５４号公報
引用文献２：特開平１０−４２９４号公報
第３　審判請求時の補正
１．令和２年１２月９日に審判請求と同時にした手続補正（以下、「本件補正」という。）について
　本件補正により、特許請求の範囲の記載は、次のとおり補正された（下線部は、補正箇所である。）。
「【請求項１】
　リードを有するラジアルリード部品と、そのラジアルリード部品のリードを保持するキャリアテープとから構成されるテープ化部品を送り出す送出装置と、
　前記キャリアテープにテーピングされている前記ラジアルリード部品を保持し、保持された状態のラジアルリード部品のリードを切断し、前記キャリアテープから分離した前記ラジアルリード部品を
電子部品装着装置への
位置で保持
　前記送出装置と前記切断装置とが配設される筐体と、を備え、
　前記切断装置は前記筐体に対して上下方向の位置を調整不能に固定され、
　前記送出装置
は前
する調整機構によって、前記電子部品装着装置への供給位置おいてラジアルリード部品の上下方向の位置が一定となるように調整
【請求項２】
　前記テープフィーダが、
　前記送出装置によって送り出された前記テープ化部品を供給位置に向かってガイドするガイド機構を備え、
　前記ガイド機構と前記送出装置とが固定されており、
　前記調整機構が、
　前記ガイド機構と前記送出装置とを共に、前記筐体に対する上下方向の位置を調整可能である請求項１に記載のテープフィーダ。
【請求項３】
　前記ガイド機構が、
　前記送出装置によって送り出された前記テープ化部品を前記供給位置に向かってガイドした後に、前記供給位置と反対方向に向かってガイドする請求項２に記載のテープフィーダ。
【請求項４】
　前記送出装置と前記切断装置とが、個別に駆動源を有する請求項１ないし請求項３のいずれか１つに記載のテープフィーダ。」
２．本件補正前の特許請求の範囲
　本件補正前の特許請求の範囲の記載は、令和２年９月３日に手続補正した特許請求の範囲の記載によって特定される次のとおりである。
「【請求項１】
　リードを有するラジアルリード部品と、そのラジアルリード部品のリードを保持するキャリアテープとから構成されるテープ化部品を送り出す送出装置と、
　前記キャリアテープにテーピングされている前記ラジアルリード部品を保持し、保持された状態のラジアルリード部品のリードを切断し、前記キャリアテープから分離した前記ラジアルリード部品を供給する切断装置と、
　前記送出装置と前記切断装置とが配設される筐体と、を備え、
　前記切断装置は前記筐体に対して上下方向の位置を調整不能に固定され、
　前記送出装置は調整機構によって前記筐体に対して上下方向の位置を調整可能であるテープフィーダ。
【請求項２】
　前記テープフィーダが、
　前記送出装置によって送り出された前記テープ化部品を供給位置に向かってガイドするガイド機構を備え、
　前記ガイド機構と前記送出装置とが固定されており、
　前記調整機構が、
　前記ガイド機構と前記送出装置とを共に、前記筐体に対する上下方向の位置を調整可能である請求項１に記載のテープフィーダ。
【請求項３】
　前記ガイド機構が、
　前記送出装置によって送り出された前記テープ化部品を前記供給位置に向かってガイドした後に、前記供給位置と反対方向に向かってガイドする請求項２に記載のテープフィーダ。
【請求項４】
　前記送出装置と前記切断装置とが、個別に駆動源を有する請求項１ないし請求項３のいずれか１つに記載のテープフィーダ。」
３．本件補正の適否
（１）補正事項１
　本件補正前の請求項１の「前記キャリアテープにテーピングされている前記ラジアルリード部品を保持し、保持された状態のラジアルリード部品のリードを切断し、前記キャリアテープから分離した前記ラジアルリード部品を供給する切断装置」を「前記キャリアテープにテーピングされている前記ラジアルリード部品を保持し、保持された状態のラジアルリード部品のリードを切断し、前記キャリアテープから分離した前記ラジアルリード部品を
電子部品装着装置への
位置で保持
　また、上記補正事項は、願書に最初に添付した明細書（以下「当初明細書」という。）の段落【０００９】、【００１３】、【００２６】、【００２７】、【００４３】に記載されているから、上記補正は、当初明細書等に記載された事項の範囲内においてするものであって、特許法第１７条の２第３項に規定する要件を満たすものである。
（２）補正事項２
　本件補正前の請求項１の「前記送出装置は調整機構によって前記筐体に対して上下方向の位置を調整可能である」を「前記送出装置
は前
する調整機構によって、前記電子部品装着装置への供給位置おいてラジアルリード部品の上下方向の位置が一定となるように調整
　また、上記補正事項は、当初明細書の段落【００５３】、【００５４】に記載されているから、上記補正は、当初明細書等に記載された事項の範囲内においてするものであって、特許法第１７条の２第３項に規定する要件を満たすものである。
　そして、本件補正前の請求項１〜４は、請求項２〜４が、補正の対象である請求項１の記載を引用する関係にあるから、本件補正後の請求項１〜４に係る発明は、特許法第１７条の２第４項に規定する一群の発明に該当する。
　上記のとおりであるから、本件補正は、特許法第１７条の２第３項〜第５項に規定する要件を満たすものである。
　そして、補正後の請求項１〜４に係る発明は、同法同条第６項で準用する同法第１２６条第７項の規定により、特許出願の際独立して特許を受けることができるものでなければならないので、以下、検討する。
４．独立特許要件について
（１）本願発明１〜４について
　本願の請求項１〜４に係る発明（以下、「本願発明１」〜「本願発明４」という。）は、令和２年１２月９日の手続補正により補正された特許請求の範囲の請求項１〜４に記載された事項により特定される、上記１．のとおりである。
（２）引用文献に記載された事項及び引用発明
ア　引用文献１に記載された事項及び引用発明について
　原査定の拒絶の理由に引用された上記引用文献１には、図面とともに以下の事項が記載されている（下線は当審において付与した。以下同様。）。
（ア）「【０００１】
　本発明は、
電子部品をノズルで保持して移動させ、基板上に実装する電子部品実装方法、電子部品実装装置及び電子部品実装システムに関する。
（イ）「【００４２】
　図９は、リア側の部品供給ユニットの他の例の概略構成を示す模式図である。
部品供給ユニット１４は、複数のラジアルリード型電子部品（ラジアルリード部品）をテープ本体に固定した電子部品保持テープ（ラジアル部品テープ）を装着し、当該電子部品保持テープで保持したリード型電子部品のリードを保持位置（第２保持位置）で切断し、当該保持位置にあるリード型電子部品をヘッドに備えた吸着ノズルまたは把持ノズルで保持可能とする電子部品供給装置１００を複数装着する
（ウ）「【００４５】
　
ヘッド１５は、部品供給ユニット１４ｆに保持された電子部品（ボウルフィーダユニットに保持されたリード型電子部品、または部品供給ユニット１４ｒに保持された電子部品（電子部品供給装置１００に保持されたラジアルリード型電子部品（リード型電子部品、挿入型電子部品）、をノズルで保持（吸着または把持）し、保持した電子部品を基板搬送部１２によって所定位置に移動された基板８上に実装する機構である。
（エ）「【００７１】
　
図１２に示す電子部品保持テープ（ラジアル部品テープ）７０は、テープ本体７２と、テープ本体７２に保持される複数の電子部品（ラジアルリード型電子部品、ラジアルリード部品）８０と、を有する。
【００７２】
　
電子部品８０は、電子部品本体（以下単に「本体」という。）８２と、本体８２のラジアル方向に配置された２本のリード８４と、を有する。電子部品８０は、リード８４が、第１テープ７４と第２テープ７６との間に挟まれ、固定されている。これにより、電子部品８０は、リード８４が、第１テープ７４と第２テープ７６との間に挟まれ固定されることで、テープ本体７２の所定位置に固定される。
（オ）「【００７５】
　次に、図１４は、リア側の部品供給ユニットの電子部品供給装置の概略構成を示す斜視図である。図１５は、図１４に示す電子部品供給装置を図１４とは異なる方向から見た斜視図である。図１６は、部品供給ユニットの電子部品供給装置の概略構成を示す説明図である。
電子部品供給装置（部品供給装置）１００は、図１４から図１６に示すように、他の各部を保持し、電子部品保持テープを案内する筐体１１０と、リア側バンク４６と連結されるクランプユニット１１２と、電子部品保持テープを搬送するフィードユニット１１４と、電子部品保持テープに保持されている電子部品のリードを切断するカットユニット１１６と、
、を有する。
【００７６】
　
筐体１１０は、縦に細長い中空の箱であり、クランプユニット１１２とフィードユニット１１４とカットユニット１１６と空気圧調整部１１８とを内部に保持する。
（カ）「【００８０】
　次に、図１４から図１６に加え、図１８から図２１を用いてフィードユニットについて説明する。ここで、図１８は、電子部品供給装置のフィードユニットの概略構成を示す説明図である。図１９は、フィードユニットの先端支持部の概略構成を示す説明図である。図２０は、フィードユニットのテープ送り爪ユニットの概略構成を示す説明図である。図２１は、フィードユニットの動作を説明するための説明図である。
フィードユニット１１４は、電子部品保持テープを搬送する、つまり案内溝１２０に沿って案内される電子部品保持テープを移動させる機構である。
（キ）「【００８８】
　
フィードユニット１１４は、このように、駆動部１４４によりテープ送り爪ユニット１４８をテープ本体７２の穴の１ピッチ分、送り方向に往復運動させることで、テープを１ピッチ分送り方向に順次移動させることができる。
【００８９】
　次に、図１４から図１６に加え、図２２から図２４を用いてカットユニットについて説明する。図２２は、電子部品供給装置のカットユニットの概略構成を示す説明図である。図２３は、電子部品供給装置のカットユニットの概略構成を示す説明図である。図２４は、電子部品供給装置のカットユニットの概略構成を示す説明図である。
カットユニット１１６は、電子部品保持テープに保持されている電子部品のリードを切断する。また、カットユニット１１６は、リードを切断した電子部品を、電子部品がノズルによって吸着（保持）されるまで、クランプ、つまり保持する。
（ク）「【０１０４】
　また、上記実施形態のフィードユニット１１４は、先端支持部１４６とテープ送り爪ユニット１４８とを位置調整機構とし、先端支持部１４６とテープ送り爪ユニット１４８との相対位置を変更することで、テープを送り終わった状態、つまり可動部１４４ｂが往復移動範囲の中で最も伸びた状態のときの送り爪１５２の凸部１５２ａの位置を変更可能な構成（筐体１１０とテープ送り爪ユニット１４８との相対位置を調整可能）としたが、これに限定されない。
フィードユニットは、筐体とテープ送り爪ユニットとの相対位置を調整可能な種々の機構を位置調整機構として用いることができる。例えば、部品供給装置は、筐体とフィードユニットとのテープ送り方向における相対位置を調整可能とすることで、テープを送り終わった状態、つまり可動部１４４ｂが往復移動範囲の中で最も伸びた状態のときの送り爪１５２の凸部１５２ａの位置を変更可能な構成としてもよい。つまり、フィードユニットは、フィードユニットと筐体との連結部に位置調整機構を設けてもよい。
（ケ）「【０１０６】
　
カットユニット１１６ａは、電子部品保持テープに保持されている電子部品のリードを切断する。また、カットユニット１１６ａは、リードを切断した電子部品を、電子部品がノズル３２（吸着ノズルまたは把持ノズル）によって吸着または把持（保持）されるまで、クランプ、つまり保持する。
（コ）「【０１０８】
　
切断部１７４は、保持領域に配置されており、保持領域に配置された電子部品のリードを本体とテープ本体との間で切断し、保持する。切断部１７４は、電子部品８０の本体とリードの両方を保持し、その後リードを切断し、リードを切断した後も、本体とリードを保持した状態を維持する。
（サ）「【０１１０】
　切断部１７４は、第１ユニット１７４ａが可動子１７６に支持されており、可動子１７６とともに第２ユニット１７４ｂに近づく方向、遠ざかる方向（図３０中矢印方向）に移動する。
切断部１７４は、第１ユニット１７４ａが第２ユニット１７４ｂに近づく方向に移動すると、本体保持機構１７９が電子部品８０の本体を保持し、リード保持機構１８０が電子部品８０のリードを保持した状態となる。その後、切断部１７４は、第１ユニット１７４ａが第２ユニット１７４ｂにさらに近づく方向に移動すると、切断機構１７８の第１刃１７８ａと第２刃１７８ｂとが交差し、リードを切断する。
（シ）「【０１１２】
　また、
カットユニット１１６ａは、本体保持機構１７９で電子部品８０の本体８２を保持することで、リード８４を切断した後も適切に電子部品８０を保持することができる。これにより、リード８４を切断した後の電子部品８０を適切に保持することができ、ノズル３２で電子部品８０を保持しやすくすることができる。
【０１１３】
　また、
カットユニット１１６ａは、リード８４を切断する前にクランプ機構で電子部品８０を保持することで、特に電子部品８０の本体８２を保持することで、電子部品８０を安定した位置に保持した状態でリード８４を切断することができる。これにより、リード８４を適切に切断することができる。また、カットユニット１１６ａは、リード８４を切断する前にクランプ機構で電子部品８０を保持することで、リード８４をカットした電子部品８０が保持位置から外れてしまうことや落下してしまうことを抑制することができる。
（ス）「【０１１６】
　
ここで、カットユニット１１６ａは、図２７に示すように筐体１１０ａに形成された鉛直方向が長手となる長穴１８１、１８４にボルト１８２、１８５を挿入して固定している。これにより、カットユニット１１６ａは、鉛直方向の位置を調整することができる。これにより、フィードユニットにより移動されるテープに保持された電子部品に対する鉛直方向の位置を調整することができる。したがって、カットユニット１１６ａは、テープの位置に対してリードを切断する鉛直方向の位置、つまり、ラジアルリード型電子部品に対する切断位置を調整することができる。以上よりカットユニット１１６ａは、切断後のリード線の長さを調整することができる。
　摘記事項（ア）〜（ス）から、上記引用文献１には次の発明（以下、「引用発明」という。）が記載されていると認められる。
「ラジアル方向に配置された２本のリード８４を有する電子部品８０と、電子部品８０のリード８４が、テープ本体７２の第１テープ７４と第２テープ７６との間に挟まれ、固定されている電子部品保持テープ７０を搬送するフィードユニット１１４と、
　本体保持機構１７９が、テープ本体７２に固定されている電子部品８０の本体を保持し、リード保持機構１８０が電子部品８０のリードを保持した状態となり、その後、電子部品８０のリード８４を切断し、リード８４を切断した後の電子部品８０を保持し、ヘッド１５のノズル３２で電子部品８０を保持しやすくするカットユニット１１６ａと、
　フィードユニット１１４とカットユニット１１６ａとを内部に保持する筐体１１０と、を備え、
　カットユニット１１６ａは、筐体１１０ａに形成された鉛直方向が長手となる長穴１８１、１８４にボルト１８２、１８５を挿入して固定することにより、鉛直方向の位置を調整することができ、
　筐体１１０ａとフィードユニット１１４とのテープ送り方向における相対位置を調整可能とする電子部品供給装置１００。」
イ　引用文献２に記載された事項
　原査定の拒絶の理由に引用された上記引用文献２には、図面とともに以下の事項が記載されている。
（ア）「【０００１】
【発明の属する技術分野】本発明は各種電子機器に使用されるプリント基板にリード線付きの電子部品を実装する際に使用される電子部品挿入装置に関するものである。」
（イ）「【００１０】
【課題を解決するための手段】上記課題を解決するために本発明は、あらかじめリード線付き電子部品の所定寸法を情報として登録記憶しておき、この記憶データに基づいてプリント基板の厚みとリード線の折り曲げ寸法を加えた
最小必要な長さにリード線を切断
（ウ）「【００２３】（実施の形態３）図５は同実施の形態による電子部品挿入装置の供給部と切断部を示す要部概念図であり、同図において
１はリード線３を有した電子部品２をテーピングした台紙テープ、１５はこの台紙テープ１を順次搬送するパーツカセット、
２７はこのボールネジ１９により上下に移動するスライダ、１４は電子部品２のリード線３を切断するカッタ
【００２４】
このような構成とすることにより、リード線３付きの電子部品２の必要寸法をパーツライブラリ１６にあらかじめ記憶しておくことで、実装する電子部品毎にパーツカセット１５の上下位置を任意に変化させることによって電子部品毎に切断位置を設定して、カッタ１４で切断することでリード線３の切断位置を一定とすることができ
（３）対比・判断
ア　本願発明１について
（ア）対比
　本願発明１と引用発明とを対比する。
　引用発明の「ラジアル方向に配置された２本のリード８４」は、本願発明１の「リード」に相当し、引用発明の「電子部品８０」は、「ラジアル方向に配置された２本のリード８４」を有するから、本願発明１の「ラジアルリード部品」に相当する。
　引用発明の「テープ本体７２の第１テープ７４と第２テープ７６」は、「電子部品８０のリード８４」を、「テープ本体７２の第１テープ７４と第２テープ７６との間に」挟さんで、固定する構成であるから、引用発明の「テープ本体７２の第１テープ７４と第２テープ７６」は、本願発明１の「キャリアテープ」に相当し、引用発明の「電子部品８０のリード８４が、テープ本体７２の第１テープ７４と第２テープ７６との間に挟まれ、固定されている」ことは、本願発明１の「ラジアルリード部品のリードを保持する」ことに相当し、引用発明の「電子部品保持テープ７０」は、本願発明１の「テープ化部品」に相当する。
　引用発明の「電子部品保持テープ７０を搬送する」ことは、本願発明１の「テープ化部品を送り出す」ことに相当し、引用発明の「フィードユニット１１４」は、本願発明１の「送出装置」に相当する。
　引用発明の「ヘッド１５」は、本願発明１の「電子部品装着装置」に相当する。また、引用発明の「本体保持機構１７９が、テープ本体７２に固定されている電子部品８０の本体を保持し、リード保持機構１８０が電子部品８０のリードを保持した状態となり、その後、電子部品８０のリード８４を切断」することは、本願発明１の「前記キャリアテープにテーピングされている前記ラジアルリード部品を保持し、保持された状態のラジアルリード部品のリードを切断」することに相当する。そして、引用発明は、「電子部品８０」が「供給位置」にあることで初めて「ヘッド１５のノズル３２で電子部品８０を保持」することができるから、引用発明の「リード８４を切断した後の電子部品８０を保持し、ヘッド１５のノズル３２で電子部品８０を保持しやすくする」ことは、本願発明１の「前記キャリアテープから分離した前記ラジアルリード部品を電子部品装着装置への供給位置で保持する」ことに相当する。したがって、引用発明の「カットユニット１１６ａ」は、本願発明１の「切断装置」に相当する。
　引用発明の「筐体１１０」は、本願発明１の「筐体」に相当し、引用発明の「フィードユニット１１４とカットユニット１１６ａとを内部に保持する」ことは、本願発明１の「前記送出装置と前記切断装置とが配設される」ことに相当する。
　引用発明の「筐体１１０ａとフィードユニット１１４とのテープ送り方向における相対位置を調整可能とする」ことは、「前記送出装置」が「前記筐体」に対して「位置を調整することが可能である」という限りにおいて、本願発明１の「前記送出装置は前記筐体に対して上下方向の位置を調整する調整機構によって、前記電子部品装着装置への供給位置おいてラジアルリード部品の上下方向の位置が一定となるように調整可能である」ことに一致する。
　引用発明の「電子部品供給装置１００」は、本願発明１の「テープフィーダ」に相当する。
　以上のことから、本願発明１と引用発明との一致点及び相違点は、次のとおりである。
【一致点】
「リードを有するラジアルリード部品と、そのラジアルリード部品のリードを保持するキャリアテープとから構成されるテープ化部品を送り出す送出装置と、
　前記キャリアテープにテーピングされている前記ラジアルリード部品を保持し、保持された状態のラジアルリード部品のリードを切断し、前記キャリアテープから分離した前記ラジアルリード部品を電子部品装着装置への供給位置で保持する切断装置と、
　前記送出装置と前記切断装置とが配設される筐体と、を備え、
　前記送出装置は前記筐体に対して位置を調整することが可能であるテープフィーダ。」
【相違点１】
　本願発明１では、「前記切断装置は前記筐体に対して上下方向の位置を調整不能に固定され」ているのに対し、引用発明では、「カットユニット１１６ａは、筐体１１０ａに形成された鉛直方向が長手となる長穴１８１、１８４にボルト１８２、１８５を挿入して固定することにより、鉛直方向の位置を調整することができ」る点。
【相違点２】
　本願発明１では、「前記送出装置は前記筐体に対して上下方向の位置を調整する調整機構によって、前記電子部品装着装置への供給位置おいてラジアルリード部品の上下方向の位置が一定となるように調整可能である」のに対し、引用発明では、「筐体１１０ａとフィードユニット１１４とのテープ送り方向における相対位置を調整可能とする」点。
（イ）判断
　事案に鑑み、上記相違点２について検討する。
　４．（２）イで示したとおり、引用文献２には、リード線３を有した電子部品２をテーピングした台紙テープ１を順次搬送するパーツカセット１５と、電子部品２のリード線３を切断するカッタ１４とを備え、実装する電子部品毎にパーツカセット１５の上下位置を任意に変化させることによって電子部品毎に切断位置を設定して、カッタ１４で切断することでリード線３の切断位置を一定とすることが記載されている。
　ここで、引用文献２に記載された事項の「リード線３の切断位置を一定とすること」について検討する。
　通常、リード線及び本体部から構成される電子部品は、その種類によってリード線及び本体部の寸法が異なるものであるから、リード線の切断位置を一定としたとしても、電子部品全体の高さ方向の位置は、その種類に応じて異なるものといえる。
　そうすると、引用文献２に記載された事項の「リード線３の切断位置を一定とする」ことは、「最小必要な長さにリード線を切断」することに留まり、「リード線３の切断位置を一定とする」ことで、「電子部品の上下方向の位置を一定とする」ものとなるとは認められない。
　そして、引用文献２には、他に、「電子部品の上下方向の位置を一定」とすることを示唆する記載は存在しない。
　よって、引用発明に対し、引用文献２に記載された事項を採用したとしても、上記相違点２に係る本願発明１の構成とすることは、当業者といえども容易に想到し得たことではない。
　してみると、相違点１について論じるまでもなく、本願発明１は、引用発明及び引用文献２に記載された事項に基いて、当業者が容易に発明をすることができたものとはいえない。
イ　本願発明２〜４について
　本願発明２〜４は、本願発明１を限定するものであって、本願発明１の「前記送出装置は前記筐体に対して上下方向の位置を調整する調整機構によって、前記電子部品装着装置への供給位置おいてラジアルリード部品の上下方向の位置が一定となるように調整可能である」点と同一の構成を備えるものであるから、本願発明１と同じ理由により、当業者であっても、引用発明及び引用文献２に記載された事項に基いて容易に発明をすることができたものとはいえない。
５．小括
　以上のとおりであるから、本願発明１〜４は、特許法第２９条第２項の規定により特許を受けることができない発明ではなく、その他の拒絶理由も発見できないから、特許出願の際独立して特許を受けることができる発明であるので、特許法第１７条の２第６項で準用する同法第１２６条第７項の規定に適合する。
第４　原査定について
　本件補正により、本願発明１〜４は、「前記送出装置は前記筐体に対して上下方向の位置を調整する調整機構によって、前記電子部品装着装置への供給位置おいてラジアルリード部品の上下方向の位置が一定となるように調整可能である」という発明特定事項を備えるものとなっており、当業者であっても、拒絶査定において引用された引用発明及び引用文献２に記載された事項に基いて、容易に発明をすることができたものとはいえない。
　したがって、原査定の理由を維持することはできない。
第５　むすび
　以上のとおり、原査定の理由によっては、本願を拒絶することはできない。
　また、他に本願を拒絶すべき理由を発見しない。
　よって、結論のとおり審決する。